(57)【要約】【課題】  多分割測光において、撮像手段を備えた携帯機器の向きを変化させると測光する領域が変化してしまうため、適切な測光が行われず、適切な露光制御を行うことができない。【解決手段】  携帯機器の姿勢を検出し、携帯機器の姿勢に対応した、予め領域に分割した携帯機器の光電変換部１０２の各領域に対して測光を行う領域および分割した各領域に対して行った測光の結果に重みをつける値を特定する条件である測光条件を予めカメラＤＳＰ部１０３に記憶させ、携帯機器の姿勢に応じて測光条件を特定する。光電変換部１０２が測光すると、カメラＤＳＰ部１０３は、光電変換部１０２が測光した結果と特定した測光条件とにもとづいて露光制御を行う。【選択図】  図１
2005148262.tif 000002
【特許請求の範囲】
【請求項１】
被写体を撮影する撮像手段を備えた携帯機器において、
携帯機器の姿勢を検出する姿勢検出手段と、
前記撮像手段の撮像領域における複数の分割領域に対する重みを示す測光条件を複数記憶する記憶手段と、
前記記憶手段に記憶されている複数の測光条件から、前記姿勢検出手段が検出した携帯機器の姿勢に応じて測光条件を選択する演算手段と、
前記演算手段が選択した測光条件にもとづいて測光を行う測光手段と
を備えたことを特徴とする携帯機器。
【請求項２】
姿勢検出手段は、被写体からの光が入射する方向に対して直交する平面内での所定方向を基準とする撮像手段の傾きの程度に応じた複数種類の信号のいずれかを、携帯機器の姿勢を示す信号として出力し、
記憶手段は、前記傾きの程度に応じた信号のそれぞれに対応した測光条件を記憶する
請求項１記載の携帯機器。
【請求項３】
姿勢検出手段は、携帯機器の姿勢を示す信号としてとして、携帯機器が横方向の姿勢となっていることを示す信号、または携帯機器が縦方向の姿勢となっていることを示す信号を出力し、
記憶手段は、前記携帯機器が横方向の姿勢となっている場合の測光条件と、前記携帯機器が縦方向の姿勢となっている場合の測光条件とを記憶する
請求項２記載の携帯機器。
【請求項４】
ユーザが測光条件を入力する設定入力手段を備えた
請求項１から請求項３のうちいずれか１項記載の携帯機器。
【請求項５】
演算手段が選択した測光条件と、ユーザが設定入力手段に入力した測光条件とが合致しない場合、携帯機器の表示手段に、ユーザが設定入力手段に入力した測光条件が演算手段が選択した測光条件と合致しないことを示す警告を表示させる制御手段を備えた
請求項４記載の携帯機器。
【請求項６】
演算手段が選択した測光条件と、ユーザが設定入力手段に入力した測光条件とが合致しない場合、携帯機器の音声出力手段からユーザが設定入力手段に入力した測光条件が演算手段が選択した測光条件と合致しないことを示す警告音を出力させる制御手段を備えた
請求項４または請求項５記載の携帯機器。
【請求項７】
画像の撮像を行う撮像手段を備えた携帯機器で用いられる測光制御方法において、
携帯機器の姿勢を検出し、
前記撮像手段の撮像領域における複数の分割領域に対する重みを示す測光条件を記憶手段に複数記憶させ、
前記記憶手段に記憶されている複数の測光条件から、携帯機器の姿勢に応じて測光条件を選択し、
選択した前記測光条件にもとづいて測光を行う
ことを特徴とする測光制御方法。
【請求項８】
ユーザによる測光条件の入力を受け付け、
携帯機器の姿勢に応じて選択した測光条件と、ユーザが入力した測光条件とが合致しない場合、携帯機器の表示手段に、ユーザが設定入力手段に入力した測光条件が携帯機器の姿勢に応じて選択した測光条件と合致しないことを示す警告を表示させる
請求項７記載の測光制御方法。
【請求項９】
ユーザによる測光条件の入力を受け付け、
携帯機器の姿勢に応じて選択した測光条件と、ユーザが入力した測光条件とが合致しない場合、携帯機器の音声出力手段からユーザが入力した測光条件が携帯機器の姿勢に応じて特定した測光条件と合致しないことを示す警告音を出力させる
請求項７または請求項８記載の測光制御方法。
【発明の詳細な説明】
【技術分野】
【０００１】
本発明は、撮像手段を備えたデジタルカメラや携帯電話機等の携帯機器に関し、特に、携帯機器の姿勢によって測光条件を自動的に変更して測光する携帯機器に関する。
【背景技術】
【０００２】
カメラの測光方式には、中央重点平均測光、スポット測光、多分割測光（マルチ測光）等の方式がある。中央重点平均測光は、カメラが撮像する画面全体を測光するが、画面の中央部における感度が高くなるように測光する測光方式である。スポット測光は、カメラが撮像する画面の中央部のみを測光する測光方式である。多分割測光（マルチ測光）は、カメラが撮像する画面を複数の領域に分割し、複数の領域のうち特定の領域における感度が高くなるように測光する測光方式である。以下、特定の領域における感度が高くなるようにすることを重み付けを行うという。カメラは、測光した光の量に応じて露光制御を行い、撮像する。
【０００３】
また、測光方式に関して、カメラを横位置に構えた撮影であるか、縦位置に構えた撮影であるかの検出を行ない、その検出結果に応じて測光方法を自動的に変更するカメラが提案されている（例えば、特許文献１参照。）。
【０００４】
また、撮像方向と撮像画角とに応じて、測光方法を自動的に変更して撮像する移動無線端末が提案されている（例えば、特許文献２参照。）。
【０００５】
【特許文献１】特開平７−１６８２４２号公報（第２−５頁、第１図）
【特許文献２】特開２００２−３６９０７３号公報（第２−４頁、第７図）
【発明の開示】
【発明が解決しようとする課題】
【０００６】
図７（ａ）は、多分割測光（マルチ測光）において、カメラを縦方向にして撮影した場合を表す図である。図７において、斜線部分に重み付けをして測光している。つまり、斜線部分の領域の測光量にもとづいて露光制御を行う。通常、人物や風景等の被写体を撮影する場合、ユーザは、被写体が画面の中心より下になるように撮影するため、中心より上の周辺部分には重み付けのための重みを小さくするか、またはその領域を測光対象としない。これは、撮影する画像の中心より上の周辺部分には、太陽や照明等の被写体以外の光源が含まれるため、これら光源の影響を排除し、被写体を適正な露出で撮影するためである。
【０００７】
しかし、図７（ｂ）に示すように、カメラを横方向にして撮影した場合、重み付けした領域が横側に来てしまい、撮影環境によっては適正な露出を得ることができない。
【０００８】
ここで、カメラが縦方向であるとは、被写体からの光が入射する方向に対して直交する平面内において、撮像手段が撮像した画像が縦長になる方向であり、カメラが横方向であるとは、被写体からの光が入射する方向に対して直交する平面内において、撮像手段が撮像した画像が横長になる方向である。
【０００９】
図８（ａ）は、多分割測光（マルチ測光）において、カメラを横方向にして撮影することを考慮して重み付けした場合であるが、図８（ｂ）に示すように、カメラを縦方向にして撮影した場合、重み付けした領域が横側に来てしまい、撮影環境によっては適正な測光を行うことができない。
【００１０】
また、特許文献１に記載されているように、カメラを横位置にして撮影する場合には遠景撮影に適した多分割測光（マルチ測光）に自動的に設定し、カメラを縦位置にして撮影する場合には、近接撮影に適した中央重点平均測光またはスポット測光に自動的に設定してしまうと、例えば、カメラを横位置にして近接撮影を行ったり、カメラを縦位置にして遠景撮影を行ったりした場合に、適切な露光制御を行うことができない。
【００１１】
特許文献２に記載されているように、撮像方向および撮像画角に応じて測光方法を自動的に変更してしまうと、撮影しようとしている被写体が、撮像方向および撮像画角に対して適切でない場合、適切な露光制御を行うことができない。
【００１２】
そこで、本発明は、多分割測光において、重み付けして測光を行う領域を携帯機器の姿勢に応じて変更し、適切な露光制御を行う携帯機器および測光制御方法を提供することを目的とする。
【課題を解決するための手段】
【００１３】
本発明による携帯機器は、被写体を撮影する撮像手段を備えた携帯機器にであって、携帯機器の姿勢を検出する姿勢検出手段と、撮像手段の撮像領域における複数の分割領域に対する重みを示す測光条件を複数記憶する記憶手段と、記憶手段に記憶されている複数の測光条件から、姿勢検出手段が検出した携帯機器の姿勢に応じて測光条件を選択する演算手段と、演算手段が選択した測光条件にもとづいて測光を行う測光手段とを備えたことを特徴とする。
【００１４】
姿勢検出手段は、被写体からの光が入射する方向に対して直交する平面内での所定方向を基準とする撮像手段の傾きの程度に応じた複数種類の信号のいずれかを、携帯機器の姿勢を示す信号として出力してもよく、記憶手段は、傾きの程度に応じた信号のそれぞれに対応した測光条件を記憶してもよい。そのような構成によれば、演算手段は、携帯機器の姿勢に応じた適正な測光条件を設定することができる。
【００１５】
姿勢検出手段は、携帯機器の姿勢を示す信号としてとして、携帯機器が横方向の姿勢となっていることを示す信号、または携帯機器が縦方向の姿勢となっていることを示す信号を出力してもよく、記憶手段は、携帯機器が横方向の姿勢となっている場合の測光条件と、携帯機器が縦方向の姿勢となっている場合の測光条件とを記憶してもよい。そのような構成によれば、携帯機器が縦方向の姿勢になっているのか、横方向の姿勢になっているのかによって、適正な測光条件で測光することができる。
【００１６】
ユーザが測光条件を入力する設定入力手段を備えてもよい。そのような構成によれば、ユーザが測光条件を入力することができる。
【００１７】
演算手段が選択した測光条件と、ユーザが設定入力手段に入力した測光条件とが合致しない場合、携帯機器の表示手段に、ユーザが設定入力手段に入力した測光条件が演算手段が選択した測光条件と合致しないことを示す警告を表示させる制御手段を備えてもよい。そのような構成によれば、ユーザが設定した測光条件が演算手段が選択した測光条件と合致しないことをユーザに知らせることができる。
【００１８】
演算手段が選択した測光条件と、ユーザが設定入力手段に入力した測光条件とが合致しない場合、携帯機器の音声出力手段からユーザが設定入力手段に入力した測光条件が演算手段が選択した測光条件と合致しないことを示す警告音を出力させる制御手段を備えてもよい。そのような構成によれば、ユーザが設定した測光条件が演算手段が選択した測光条件と合致しないことをユーザに知らせることができる。
【００１９】
本発明による測光制御方法は、画像の撮像を行う撮像手段を備えた携帯機器で用いられる測光制御方法にであって、携帯機器の姿勢を検出し、撮像手段の撮像領域における複数の分割領域に対する重みを示す測光条件を記憶手段に複数記憶させ、記憶手段に記憶されている複数の測光条件から、携帯機器の姿勢に応じて測光条件を選択し、選択した測光条件にもとづいて測光を行うことを特徴とする。
【００２０】
ユーザによる測光条件の入力を受け付けてもよく、携帯機器の姿勢に応じて選択した測光条件と、ユーザが入力した測光条件とが合致しない場合、携帯機器の表示手段に、ユーザが設定入力手段に入力した測光条件が携帯機器の姿勢に応じて選択した測光条件と合致しないことを示す警告を表示させてもよい。そのような構成によれば、ユーザが設定した測光条件が携帯機器の姿勢に応じて選択した測光条件と合致しないことをユーザに知らせることができる。
【００２１】
ユーザによる測光条件の入力を受け付けてもよく、携帯機器の姿勢に応じて選択した測光条件と、ユーザが入力した測光条件とが合致しない場合、携帯機器の音声出力手段からユーザが入力した測光条件が携帯機器の姿勢に応じて特定した測光条件と合致しないことを示す警告音を出力させてもよい。そのような構成によれば、ユーザが設定した測光条件が携帯機器の姿勢に応じて選択した測光条件と合致しないことをユーザに知らせることができる。
【発明の効果】
【００２２】
本発明によれば、姿勢検出手段が検出した携帯機器の姿勢に応じて測光条件を特定するため、携帯機器の姿勢に応じた適切な測光条件で測光し、適切な露出で撮影することができる。
【発明を実施するための最良の形態】
【００２３】
実施の形態１．
図１は、本発明の第１の実施の形態を説明するブロック図である。本発明の携帯機器は、実施の形態の一例として、携帯電話機２００として実現される。
【００２４】
本発明の第１の実施の形態において、携帯電話機２００は、入射した光を集光するレンズ部１０１と、ＣＣＤやＣＭＯＳセンサ等の光電変換素子によって実現され、レンズ部１０１が集光した光を電気信号に変換して画像情報を出力する光電変換部（撮像手段）１０２と、レンズ部１０１および光電変換部１０２を搭載したカメラモジュールに搭載されたＤＳＰ（Ｄｉｇｉｔａｌ  Ｓｉｇｎａｌ  Ｐｒｏｃｅｓｓｏｒ）であって、光電変換部１０２が変換した画像情報に対して電子ズームなどの信号処理を施すカメラＤＳＰ部（演算手段および記憶手段）１０３と、携帯電話機２００の傾きを検出する傾き検出部（姿勢検出手段）１０６と、携帯電話機２００の動作状態等の情報を表示する表示部（表示手段）１０５と、カメラＤＳＰ部１０３、表示部１０５および傾き検出部１０６を制御するカメラ・表示制御・画像処理部１０４と、携帯電話機２００全体を制御する制御部（制御手段）１０７と、制御部１０７にユーザが行った操作を入力する操作部（設定入力手段）１０８と、音声を入力するマイクロフォン１１０と、音声を出力するスピーカ（音声出力手段）１１１と、音声情報の音声への変換および音声の音声情報への変換を行う音声処理部１０９と、携帯電話通信網と接続する無線部１１２とを含む。
【００２５】
傾き検出部１０６は、例えば公知の傾斜センサによって実現され、携帯電話機２００が傾いているか否かを検出することにより、携帯電話機２００が傾いているか否かを検出する。携帯電話機２００が傾いている場合、例えばＯＮ信号をカメラ・表示制御・画像処理部１０４に出力し、携帯電話機２００が傾いていない場合、例えばＯＦＦ信号をカメラ・表示制御・画像処理部１０４に出力する。
【００２６】
図２は、本発明による携帯機器を構成する各ブロックが、実施の形態の一例として携帯電話機２００に内蔵された場合を示す図である。光電変換部１０２とカメラＤＳＰ部１０３とは、カメラモジュールとして一体化されていてもよいが分離されていてもよい。図２に矢印で示すように、携帯電話機２００を傾けると、本発明による携帯機器を構成する各ブロックも傾き、携帯電話機２００が縦方向（図２の状態）であれば、光電変換部１０２も縦方向となり、携帯電話機２００が横方向であれば、光電変換部１０２も横方向となる。ここで、縦方向とは、図２に示す状態を表し、横方向とは、図２に示す矢印の方向に９０°傾けた状態を表す。すなわち、被写体からの光が入射する方向に対して直交する平面内において、図２に示す構造における２つの部材のうち直立している部材の裏面側（図２において見えない側）に設けられている表示部１０５に表示される文字等をユーザが通常視認するように位置される状態を縦方向とし、その平面内で９０°傾けられた状態を横方向とする。傾き検出部１０６は、図２に示す矢印の方向に９０°傾けた状態を検出する。具体的には、傾き検出部１０６の出力信号は、携帯電話機２００が縦方向に位置する状態から横方向に位置する状態にまで傾く場合に、所定の角度（例えば４５°）傾くと、ＯＦＦ信号からＯＮ信号に変わる。
【００２７】
カメラ・表示制御・画像処理部１０４は、例えばＩＣ（Ｉｎｔｅｇｒａｔｅｄ  Ｃｉｒｃｕｉｔ）によって実現され、傾斜センサの出力信号にもとづいて携帯電話機２００が縦方向であるか横方向であるかを判定する。具体的には、傾き検出部１０６が出力する信号が携帯電話機２００が傾いていないことを示した場合は、携帯電話機２００が縦方向であると判定する。また、傾き検出部１０６が出力する信号が携帯電話機２００が傾いていることを示した場合は、携帯電話機２００が横方向であると判定する。カメラ・表示制御・画像処理部１０４は、携帯電話機２００が縦方向であるか、携帯電話機２００が横方向であるかを特定する情報であるカメラ姿勢情報を生成して、例えば、Ｉ２Ｃ（Ｉｎｔｅｒ  Ｉｎｔｅｇｒａｔｅｄ  Ｃｉｒｃｕｉｔ）インタフェース等で接続されているカメラＤＳＰ部１０３に出力する。
【００２８】
カメラＤＳＰ部１０３は、予め携帯電話機２００が縦方向である場合と、携帯電話機２００が横方向である場合とにそれぞれ対応した測光条件を記憶している。カメラＤＳＰ部１０３は、予め記憶している携帯電話機２００が縦方向の場合に対応した測光条件と、携帯電話機２００が横方向の場合に対応した測光条件とを、カメラ・表示制御・画像処理部１０４が出力したカメラ姿勢情報に応じて読み出す。具体的には、カメラ姿勢情報が、携帯電話機２００が縦方向であることを示している場合は、携帯電話機２００が縦方向の場合に対応した測光条件を読み出し、カメラ姿勢情報が、携帯電話機２００が横方向であることを示している場合は、携帯電話機２００が横方向の場合に対応した測光条件を読み出す。
【００２９】
ここで、測光条件とは、予め領域に分割された光電変換部１０２の各領域に対して行った測光の結果に重みをつける値を特定する条件である。
【００３０】
図３（ａ）は、携帯電話機２００が縦方向であった場合に対応した測光条件を図示した一例である。そして、図３（ｂ）は、携帯電話機２００が横方向であった場合に対応した測光条件を図示した他の例である。図３（ａ）および図３（ｂ）において、斜線で示した各領域にそれぞれ重み付けがなされている。なお、この実施の形態では、重み付けされた領域は、測光に際して光量が用いられる領域であり、重み付けされない領域は、測光において使用されない領域であるとする。重み付けされない領域は、０の重みが付けられた領域であるということもできる。
【００３１】
カメラＤＳＰ部１０３は、測光時に、光電変換部１０２におけるそれぞれの領域に対応した出力と測光条件とにもとづいて測光処理を行う。測光処理とは、例えば、測光条件で示される重み付けされた領域の平均光量を求める処理である。
【００３２】
カメラＤＳＰ部１０３は、測光処理の結果にもとづいて、光電変換部１０２の最適な露光量を演算する。カメラＤＳＰ部１０３は、演算した露光量が実現されるように、撮像時の光電変換部１０２の光電変換素子の出力に対するゲイン値やシャッタースピード等を特定する情報である露光特定情報を生成する。
【００３３】
露光特定情報にもとづいて、光電変換部１０２は、レンズ部１０１から入射した光を受光し、決定したゲイン値やシャッタースピード等の露光制御のパラメータが設定された後、レンズ部１０１から入射した光を撮像する、電気信号に変換する光電変換を行い、電気信号を生成して画像情報をカメラＤＳＰ部１０３に出力する。なお、光電変換部１０２は、携帯機器の姿勢変化に伴って、姿勢が変化する。具体的には、携帯電話機２００が縦方向であれば、光電変換部１０２は縦方向となり、携帯電話機２００が横方向であれば、光電変換部１０２は横方向となる。
【００３４】
図４は、光電変換部１０２とカメラＤＳＰ部１０３とを模式的に表した図である。図４に示すように、縦方向と横方向とで、光電変換部１０２が撮像する範囲が変化する。
【００３５】
カメラＤＳＰ部１０３は、光電変換部１０２が出力した電気信号を画像情報に変換する。そして、カメラＤＳＰ部１０３は、画像情報をカメラ・表示制御・画像処理部１０４に出力する。カメラ・表示制御・画像処理部１０４は、画像情報を表示部１０５に出力して画像を表示させたり、デジタルズーム等の画像処理を行ったりする。
【００３６】
次に、この実施の形態の動作について、図面を参照して説明する。図５は、この実施の形態の動作を説明するフローチャートである。
【００３７】
まず、傾き検出部１０６が、携帯電話機２００が傾いているか否かを検出し、検出結果をカメラ・表示制御・画像処理部１０４に出力する（ステップＳ１０１）。カメラ・表示制御・画像処理部１０４は、傾き検出部１０６の出力結果にもとづいてカメラが傾いているか否かを判定し、携帯電話機２００が傾いていない場合、携帯電話機２００が縦方向であると判定して、携帯電話機２００が縦方向であることを示すカメラ姿勢情報を生成してカメラＤＳＰ部１０３に出力する。カメラＤＳＰ部１０３は、携帯電話機２００が縦方向であることを示すカメラ姿勢情報が入力されると、携帯電話機２００が縦方向の場合に対応した測光条件（例えば、図３（ａ））を読み出す。そして、カメラＤＳＰ部１０３は、光電変換部１０２の出力に対して測光条件を適用して測光処理を行う（ステップＳ１０２）。
【００３８】
カメラ・表示制御・画像処理部１０４は、傾き検出部１０６の出力信号にもとづいて携帯電話機２００が傾いているか否かを特定し、携帯電話機２００が傾いている場合、携帯電話機２００が横方向であると判定して、携帯電話機２００が横方向であることを示すカメラ姿勢情報を生成してカメラＤＳＰ部１０３に出力する。カメラＤＳＰ部１０３は、携帯電話機２００が横方向であることを示すカメラ姿勢情報が入力されると、携帯電話機２００が横方向の場合に対応した測光条件（例えば、図３（ｂ））を読み出す。そして、カメラＤＳＰ部１０３は、光電変換部１０２の出力に対して測光条件を適用して測光処理を行う（ステップＳ１０３）。
【００３９】
カメラＤＳＰ部１０３は、測光処理の結果にもとづいて露光特定情報を生成する（ステップＳ１０４）。ユーザが操作部１０８にシャッターボタンを押す等の撮影を行う特定の操作を行うと、操作部１０８は、撮影を行う操作が行われたことを示す情報を制御部１０７に出力する。制御部１０７は、カメラ・表示制御・画像処理部１０４に撮影を指示する情報を出力する。
【００４０】
カメラ・表示制御・画像処理部１０４は、撮影を指示する情報が入力されると、カメラＤＳＰ部１０３に撮影を指示する情報を出力する。カメラＤＳＰ部１０３は、撮影を指示する情報が入力されると、露光特定情報と撮影を指示する情報を光電変換部１０２に出力する。光電変換部１０２は、露光特定情報にもとづいて、レンズ部１０１から入射した光を受光し、レンズ部１０１から入射した光を撮像する（ステップＳ１０５）。
【００４１】
以上述べたように、この実施の形態によれば、携帯電話機２００の姿勢、つまりカメラの姿勢に対応した測光条件で露出制御が行われるため、適正な露出で撮影を行うことができる。特に、携帯電話機２００を横方向にして撮影を行う場合でも、縦方向にして撮影を行う場合でも、太陽や照明等の影響を排除した適正な測光を行うことができるので、携帯電話機２００がいずれの姿勢にあっても、適正な露出設定を行うことができる。
【００４２】
実施の形態２．
この実施の形態では、ユーザが測光条件を設定することができる点が第１の実施の形態と異なる。この実施の形態の構成は、第１の実施の形態の構成と同様なため説明を省略する。
【００４３】
この実施の形態の動作について図面を参照して説明する。図６は、この実施の形態の動作を説明するフローチャートである。まず、ユーザが操作部１０８を操作して、測光条件を選択する（ステップＳ２０１）。ここで、選択する測光条件は、例えば、カメラＤＳＰ部１０３が予め記憶している、携帯電話機２００が縦方向である場合に対応する測光条件と、携帯電話機２００が横方向である場合に対応する測光条件とを含み、ユーザが、操作部１０８を操作して設定した測光条件を含んでもよい。
【００４４】
そして、傾き検出部１０６が、携帯電話機２００が傾いているか否かを検出し、検出結果をカメラ・表示制御・画像処理部１０４に出力する（ステップＳ２０２）。そして、カメラ・表示制御・画像処理部１０４は、携帯電話機２００が傾いているか否かを特定するカメラ姿勢情報を生成してカメラＤＳＰ部１０３に出力する。カメラＤＳＰ部１０３は、カメラ姿勢情報に応じて対応する測光条件を特定し、測光条件情報を生成してカメラ・表示制御・画像処理部１０４に出力する。カメラ・表示制御・画像処理部１０４は、測光条件情報を制御部１０７に出力する。制御部１０７は、入力された測光条件情報と、ユーザが選択した測光条件とが合致するか否かを判定する（ステップＳ２０３）。
【００４５】
測光条件情報と、ユーザが選択した測光条件とが合致する場合、表示や音によるアラームの発生は行わず（ステップＳ２０４）、携帯電話機２００が傾いていない場合、第１の実施の形態におけるステップＳ１０２以降の動作を行ない、携帯電話機２００が傾いている場合、第１の実施の形態におけるステップＳ１０３以降の動作を行う。
【００４６】
測光条件情報と、ユーザが選択した測光条件とが合致しない場合、制御部１０７は、音声処理部１０９と、スピーカ１１１を介してアラーム音を発生させる。また、制御部１０７は、カメラ・表示制御・画像処理部１０４を介して表示部１０５に、ユーザの選択した測光条件が、携帯電話機２００の傾きに対応して決定された測光条件と合致していないことを表示する（ステップＳ２０５）。
【００４７】
ユーザが、操作部１０８を操作して選択した測光条件の変更を行う場合、ステップＳ２０１に戻る。ユーザが、操作部１０８を操作して選択した測光条件の変更を行わない場合であって、携帯電話機２００が傾いていない場合、第１の実施の形態におけるステップＳ１０２以降の動作を行ない、携帯電話機２００が傾いている場合、第１の実施の形態におけるステップＳ１０３以降の動作を行う。
【００４８】
以上述べたように、この実施の形態によれば、ユーザは自ら測光条件を選択することができ、ユーザが選択した測光条件が携帯電話機２００の傾きに応じて決定された測光条件と合致しない場合は、ユーザにアラーム音等を発生して、ユーザが選択した測光条件が携帯電話機２００の傾きに応じて決定された測光条件と合致しないことをユーザに通知することができる。  
【００４９】
なお、上記の実施の形態では、傾き検出部１０６は、携帯電話機２００の姿勢を示す信号として、携帯電話機２００が横方向の姿勢となっていることを示す信号、または携帯電話機２００が縦方向の姿勢となっていることを示す信号を出力したが、携帯電話機２００のより多くの傾きの程度に応じて信号を出力するようにしてもよい。例えば、携帯電話機２００が横方向の姿勢と縦方向の姿勢との中間的な姿勢であることを示す信号を出力するようにしてもよい。その場合には、カメラＤＳＰ部１０３は、携帯電話機２００のより多くの傾きの程度に応じた信号のそれぞれに対応した測光条件を記憶する。また、上記の実施の形態では、重み付けがなされる各領域に対する重みを同じ値にしたが、各領域の重みの程度を異ならせるようにしてもよい。さらに、上記の実施の形態では、カメラＤＳＰ部１０３にはマルチ測光に関する測光条件が記憶されている場合を例にしたが、カメラＤＳＰ部１０３に、他の測光方法に関する測光条件が記憶されていてもよい。例えば、スポット測光に関する測光条件（測光領域等を示す情報）がカメラＤＳＰ部１０３に記憶され、ズーム撮影が行われるような場合にはスポット測光に関する測光条件を用いて測光を行うようにしてもよい。
【００５０】
本発明による携帯機器は、実施の形態の一例として携帯電話機として実現することとして説明したが、これに限定されるものではなく、他の機器に内蔵されてもよいし、携帯機器またはカメラ単独として実現されてもよい。
【産業上の利用可能性】
【００５１】
携帯機器の姿勢に応じて測光条件を変更するため、携帯機器の姿勢に応じた適切な露光制御を行って画像を撮影する携帯機器を提供することができる。
【図面の簡単な説明】
【００５２】
【図１】本発明の第１の実施の形態を説明するブロック図である。
【図２】本発明に携帯機器を、実施の形態の一例として携帯電話機として実現した場合を説明する説明図である。
【図３】カメラＤＳＰ部において重み付けを行う領域を示した一例である。
【図４】光電変換部とカメラＤＳＰ部とを模式的に表した説明図である。
【図５】第１の実施の形態の動作を説明するフローチャートである。
【図６】第２の実施の形態の動作を説明するフローチャートである。
【図７】従来のカメラＤＳＰ部において重み付けを行う領域を示した一例である。
【図８】従来のカメラＤＳＰ部において重み付けを行う領域を示した他の例である。
【符号の説明】
【００５３】
１０１  レンズ部
１０２  光電変換部
１０３  カメラＤＳＰ部
１０４  カメラ・表示制御・画像処理部
１０５  表示部
１０６  傾き検出部
１０７  制御部
１０８  操作部
１０９  音声処理部
１１０  マイクロフォン
１１１  スピーカ
１１２  無線部
【図１】
2005148262.tif 000003
【図２】
2005148262.tif 000004
【図３】
2005148262.tif 000005
【図４】
2005148262.tif 000006
【図５】
2005148262.tif 000007
【図６】
2005148262.tif 000008
【図７】
2005148262.tif 000009
【図８】
2005148262.tif 000010